(57)【要約】【課題】利用者の手間を省きながら、利用者が保管を依頼するコンテンツに基づいて、付加価値が高いサービスを提供する。【解決手段】クライアント装置５は、利用者が保管を依頼しようとするコンテンツに対して紐付けするための情報を修正したり情報追加したりする、紐付け情報加工部と、前記利用者コンテンツを電子化情報として読込むコンテンツ読込み部と、を備える。全体運営者サーバ装置１０は、利用者が保管を依頼しようとするコンテンツ、又、該コンテンツに対して紐付けするための情報を保管するための記憶装置と、該クライアント装置からオンラインで該利用者コンテンツの選択編集を受付け、該選択編集に従って、閲覧し易い形式に編成、加工された成果物コンテンツを作成し、これを利用者側に渡すために所定の記録媒体に保存する所定のコンテンツ管理部と、を備える。【選択図】図１
2006195840.tif 000002
【特許請求の範囲】
【請求項１】
サーバ装置により、利用者が保管を依頼しようとするコンテンツに対して紐付けするための、情報の入力を受付け、
クライアント装置により、該紐付け情報をオンライン又はオフラインで受付け、又、該紐付け情報の修正や情報追加を受付け、更に、前記コンテンツを電子化情報として読込むことを特徴とする利用者コンテンツ保管方法。
【請求項２】
利用者が保管を依頼しようとするコンテンツに対して紐付けするための、サーバ装置により入力された情報を、オンライン又はオフラインで受付けるサーバ通信処理部と、
該紐付け情報を修正したり情報追加したりする、クライアント共通情報管理部と、
前記利用者コンテンツを電子化情報として読込むコンテンツ入力処理部と、を備えたことを特徴とする利用者コンテンツ受付クライアント装置。
【請求項３】
請求項２に記載の利用者コンテンツ受付クライアント装置において、
前記読込みに際して、前記コンピュータ装置又は当該クライアント装置において予め発行された、前記コンテンツを個別に認識するための識別番号を読込むようにしたことを特徴とする利用者コンテンツ受付クライアント装置。
【請求項４】
利用者が保管を依頼しようとするコンテンツの情報を保管するためのコンテンツ蓄積部と、
該コンテンツに対して紐付けするための情報を保管するためのクライアント共通情報蓄積部と、
利用者が操作するクライアント装置に対してオンラインで、前記コンテンツ紐付け情報を提供しつつ、該クライアント装置からオンラインで、該利用者コンテンツの選択編集を受付け、該選択編集に従って、成果物ファイルを作成するコンテンツ管理処理部と、を備えたことを特徴とする利用者コンテンツ保管サーバ装置。
【請求項５】
請求項４に記載の利用者コンテンツ保管サーバ装置において、
前記コンテンツ保管記憶装置に保管される前記コンテンツ紐付け情報に、該保管の長期又は短期を識別するための情報を含めるようにし、期間超過した前記コンテンツ紐付け情報及び前記利用者コンテンツは、該コンテンツ保管記憶装置における保管から削除するようにしたことを特徴とする利用者コンテンツ保管サーバ装置。
【請求項６】
請求項４に記載の利用者コンテンツ保管サーバ装置において、
前記コンテンツ保管記憶装置に保管される前記コンテンツ紐付け情報に、該利用者通知期日を識別するための情報を含めるようにし、期日が到来した前記利用者コンテンツの少なくとも一部を、該当利用者に送付するようにしたことを特徴とする利用者コンテンツ保管サーバ装置。
【請求項７】
請求項１に記載の利用者コンテンツ保管方法、請求項２及び請求項３に記載の利用者コンテンツ受付クライアント装置、請求項４〜請求項６に記載の利用者コンテンツ保管サーバ装置の、いずれか１つを実施するためのコンピュータ・プログラム。
【発明の詳細な説明】
【技術分野】
【０００１】
本発明は、利用者の手間を省きながら、利用者が保管を依頼するコンテンツに基づいて、付加価値が高いサービスを提供することができる利用者コンテンツ保管方法、利用者コンテンツ受付クライアント装置、利用者コンテンツ保管サーバ装置、又、これら方法や装置に係るコンピュータ・プログラムに関する。
【背景技術】
【０００２】
特許文献１では、音声情報や文字情報の付加情報と共に、図画、工作、書道作品などの立体形状物又は平面形状物の画像データを蓄積記録し、記録媒体によって顧客に提供するという技術が開示されている。特許文献２では、顧客の画像をサーバ装置において保存することに関する技術が開示されている。この特許文献２では、保存している顧客の画像の容量、数量、保存期間に応じて、保存しているものを削除したりしている。
【０００３】
【特許文献１】特開２００３−１５０９３０号公報
【特許文献２】特開２００３−１１５９７５号公報
【発明の開示】
【発明が解決しようとする課題】
【０００４】
ここで、利用者の画像情報がサーバ装置において蓄積されると、これによって様々なサービスが考えられる。しかしながら、このためには、画像情報に対して、付加的な情報を付与する必要があり、このような情報を準備したり入力したりする分、利用者が手間をかけなければならなくなってしまう。前述の特許文献１や特許文献２を含め、従来では、これらに関する技術は開示されていない。
【０００５】
本発明は、前記従来の問題点を解決するべくなされたもので、利用者の手間を省きながら、利用者が保管を依頼するコンテンツに基づいて、付加価値が高いサービスを提供することができる利用者コンテンツ保管システムを提供することを課題とする。
【課題を解決するための手段】
【０００６】
まず、本願の第１発明の利用者コンテンツ保管方法は、サーバ装置により、利用者が保管を依頼しようとするコンテンツに対して紐付けするための、情報の入力を受付け、クライアント装置により、該紐付け情報をオンライン又はオフラインで受付け、又、該紐付け情報の修正や情報追加を受付け、更に、前記コンテンツを電子化情報として読込むことにより、前記課題を解決したものである。なお、上記のサーバ装置は、文字通りのサーバ装置に限定されるものではなく、上記のクライアント装置とは別のコンピュータ装置であればよく、例えば他のクライアント装置であってもよい。
【０００７】
次に、本願の第２発明の利用者コンテンツ受付クライアント装置は、利用者が保管を依頼しようとするコンテンツに対して紐付けするための、サーバ装置により入力された情報を、オンライン又はオフラインで受付けるサーバ通信処理部と、該紐付け情報を修正したり情報追加したりする、クライアント共通情報管理部と、前記利用者コンテンツを電子化情報として読込むコンテンツ入力処理部と、を備えたことにより、前記課題を解決したものである。なお、上記のサーバ装置は、文字通りのサーバ装置に限定されるものではなく、上記のクライアント装置とは別のコンピュータ装置であればよい。
【０００８】
又、前記利用者コンテンツ受付クライアント装置において、前記読込みに際して、前記コンピュータ装置又は当該クライアント装置において予め発行された、前記コンテンツを個別に認識するための識別番号を読込むようにしたことにより、前記課題を解決したものである。
【０００９】
次に、本願の第３発明の利用者コンテンツ保管サーバ装置は、利用者が保管を依頼しようとするコンテンツの情報を保管するためのコンテンツ蓄積部と、該コンテンツに対して紐付けするための情報を保管するためのクライアント共通情報蓄積部と、利用者が操作するクライアント装置に対してオンラインで、前記コンテンツ紐付け情報を提供しつつ、該クライアント装置からオンラインで、該利用者コンテンツの選択編集を受付け、該選択編集に従って、成果物ファイルを作成するコンテンツ管理処理部と、を備えたことにより、前記課題を解決したものである。
【００１０】
更に、前記利用者コンテンツ保管サーバ装置において、前記コンテンツ保管記憶装置に保管される前記コンテンツ紐付け情報に、該保管の長期又は短期を識別するための情報を含めるようにし、期間超過した前記コンテンツ紐付け情報及び前記利用者コンテンツは、該コンテンツ保管記憶装置における保管から削除するようにしたことにより、前記課題を解決したものである。
【００１１】
又、前記利用者コンテンツ保管サーバ装置において、前記コンテンツ保管記憶装置に保管される前記コンテンツ紐付け情報に、該利用者通知期日を識別するための情報を含めるようにし、期日が到来した前記利用者コンテンツの少なくとも一部を、該当利用者に送付するようにしたことにより、前記課題を解決したものである。
【００１２】
又、本願の第４発明のコンピュータ・プログラムは、前記第１発明の利用者コンテンツ保管方法、前記第２発明の利用者コンテンツ受付クライアント装置、又は、前記第３発明の利用者コンテンツ保管サーバ装置を実施するためのコンピュータ・プログラムを提供するようにしたことにより、前記課題を解決したものである。
【００１３】
以下、本発明の作用について、簡単に説明する。
【００１４】
現時点においても、コンピュータ装置によるサーバ装置において保管可能な、デジタル化することができる情報には様々なものがある。スキャナ装置やデジタル・カメラによって、立体形状物又は平面形状物を２次元のデジタル情報として受付け、保管することができる。又、デジタル・カメラなどで立体形状物を多方角から撮影するなどして、３次元のデジタル情報として受付け、保管することも見受けられる。
【００１５】
本願発明では、利用者が保管を依頼しようとするコンテンツの形態を、特に限定するものではなく、デジタル・カメラの画像のように既にデジタル化されているものでも、新たに読取るものでもよく、立体形状物でも平面形状物でもよい。又、新たに読取るものでは、図画、工作、書道作品などであってもよい。
【００１６】
利用者が保管を依頼するコンテンツは、蓄積すると、これによって様々なサービスが考えられる。例えば、小学校の生徒が一年間蓄積すると当人のアルバムになり、又同学年が入学から卒業まで蓄積すると卒業アルバムとすることも考えられる。又、ある生徒のアルバムに、友人のコンテンツや友人と共通のコンテンツが加えられたりするなど、多様なコンテンツによって、その価値は格段に向上する。
【００１７】
しかしながら、このためには手間がかかるものである。本願発明では、このような手間を、利用者は、アルバム業者や街にあるＤＰＥ（Develop  Print  Enlargement）店に、これらの手間の少なくとも一部の代行を依頼できるようにしている。これらの手間は、極力依頼することが望ましい。又、ＩＴ（Information  Technology）関連のハードウェアやソフトウェアを活用できるようにしており、例えば関連情報の入力の便宜を図るなどすることによって、利用者だけでなく、上記のように依頼を受ける側でも手間を省くことができるようにしている。
【００１８】
図１は、本願発明の概念を説明するための構成図である。又、図２は、本願発明の実施の関係者の相互関係を示す線図である。
【００１９】
まず、本願発明に係る末端利用者、又、統括者、全体運営者、実務実施者について説明する。なお、末端利用者は、単に利用者とも称するものとする。
【００２０】
まず、末端利用者は、後述する実施形態では、学校の生徒である。該末端利用者は、具体的に限定されるものではなく、本願発明を実施に係わるコンテンツを提供したり、本願発明に係わるサービスを受益したりするものになる。例えば、次に述べる統括者のＤＰＥ店の利用者（店舗の顧客）であってもよい。
【００２１】
統括者は、この図２において一点鎖線で示すように、末端利用者側であって、利用者側となっており、末端利用者が行う作業を支援したり代行したりする。後述する実施形態では、教職員であり、末端利用者となる生徒の学級や学年の担任教師である。該統括者は、具体的に限定されるものではなく、本願発明を実施に係わるコンテンツを末端利用者から集めたり、コンテンツに紐付けられる情報を収集したりするものになる。該統括者は、特に限定されるものではなく、街にあるＤＰＥ店としてもよく、店員が、本願発明を実施に係わるコンテンツを末端利用者から集めたり、コンテンツに紐付けられる情報を収集したりしてもよい。
【００２２】
全体運営者は、後述する実施形態では、卒業アルバムなどを製作するアルバム業者であり、統括者となる教職員から、本願発明を実施に係わるコンテンツを受け取ったり、コンテンツに紐付けられる情報を受け取ったりする。該全体運営者は、少なくとも、コンテンツに紐付けられる情報を、デジタル情報として入力したり、読込んだりするものである。なお、該入力や読込みは、一部統括者側で行ってもよい。該全体運営者は、特に限定されるものではなく、上記のように街にあるＤＰＥ店を統括者とした場合、該全体運営者は、ＤＰＥ店から未現像フィルムを回収してＤＰＥ処理をして該ＤＰＥ店に渡していた、いわゆるラボ会社において行うようにしたりしてもよい。
【００２３】
なお、実務実施者を設けてもよく、設けなくてもよい。該実務実施者は、上記の全体運営者の業務を代行するものである。本願発明によれば、このような代行も円滑に行うことが可能になる。この図２では、全体運営者、又実務実施者は、運営側とされ、本願発明を適用したサービスを提供する側としている。
【００２４】
ここで、図１において「作品」は、末端利用者のコンテンツである。コンテンツは、統括者側のクライアント装置５においてスキャナ装置などで電子的に読取り、読み取ったものを全体運営者側の全体運営者サーバ装置１０に、オンライやオフラインで伝送して回収してもよい。あるいは、作品などの現物のコンテンツを全体運営者側に回収し、全体運営者や実務実施者側にあるクライアント装置５において、スキャナ装置などで電子的に読取ってもよい。又、本願発明において中心になるコンテンツは末端利用者からのものであるが、該コンテンツと合せて提供される関連コンテンツは、統括者や全体運営者や実務実施者で提供してもよい。
【００２５】
次に、図１に示すように、少なくとも全体運営者に、又、適宜実務実施者には、サーバ装置を設ける。全体運営者に設けられるものは全体運営者サーバ装置１０と称し、実務実施者に設けられるものは実務実施者サーバ装置１２と称するものとする。これらサーバ装置によって、本願発明を実施に係わるコンテンツをデジタル情報として読込んだり、コンテンツに紐付けられる情報（紐付け情報）を入力したりする。なお、統括者や末端利用者に、クライアント装置５を設けるようにしてもよい。例えば、クライアント装置５によって、コンテンツをデジタル情報として読込んだり、コンテンツに紐付けられる情報の一部を入力したりしてもよい。
【００２６】
ここで、個々のコンテンツ情報を区別するための情報を、識別番号と呼ぶものとする。読込まれるコンテンツには、全体運営者サーバ装置１０や実務実施者サーバ装置１２や、あるいはクライアント装置５から発行される、該識別番号が盛り込まれている、バーコードシールを貼り付けるなどして、個々のコンテンツを識別するようにしてもよい。該識別番号によって、デジタル情報として読込まれた個々のコンテンツに対して、様々な紐付け情報を対応付けることができる。
【００２７】
なお、該識別番号は、数字のみに限定されるものではなく、このようにコンテンツを識別可能なものであればよい。例えば、数字以外の、英字や記号を用いるものであってもよい。
【００２８】
ここで、本願発明の上記の紐付け情報は、利用者のコンテンツに関連付けて用いられるものであればよく、特に限定されるものではない。例えば、ある小学生の個人のコンテンツに対して、その学校に関する情報（学校の設立などの歴史など）や、同じ学級の他の生徒のコンテンツを関連付けして、該紐付け情報としてもよい。又、このような関連付けに用いる情報も、該紐付け情報としてもよい。例えば、ある小学生の個人のコンテンツから、該個人用のアルバムを作成する際に、これらの紐付け情報を盛り込むなどして用いることで、該アルバムの価値を高めることができる。
【００２９】
本願発明では、末端利用者、統括者、全体運営者、実務実施者の間において、デジタル情報化されたコンテンツや、コンテンツに紐付けられる情報は、ネットワーク１を介してオンラインで、あるいはＣＤ（Compact  Disc）やＤＶＤ（Digital  Video  Disc）やＭＯ（Magneto-Optic）ディスクなどの媒体を介してオフラインで受け渡されるものであり、特に限定されるものではない。又、ネットワーク１についても、インターネットでもその他のネットワークでもよく、特に限定されるものではない。
【００３０】
本願発明においては、全体運営者サーバ装置１０や実務実施者サーバ装置１２において、末端利用者が受けるサービスが提供される。例えば、全体運営者サーバ装置１０や実務実施者サーバ装置１２によって、コンテンツに紐付けられる情報を最大限に活用し、蓄積されたコンテンツによってアルバムが製作され、電子的に閲覧できるようにＣＤやＤＶＤやＭＯに書き込まれ、末端利用者に渡される。
【発明の効果】
【００３１】
このように、本願発明の利用者コンテンツ保管システムによれば、利用者の手間を省きながら、利用者が保管を依頼するコンテンツに基づいて、付加価値が高いサービスを提供することができる利用者コンテンツ保管システムを提供することができる。
【発明を実施するための最良の形態】
【００３２】
以下、図を用いて本発明の実施の形態を詳細に説明する。
【００３３】
図３は、本発明が適用された実施形態の全体的なハードウェア構成を示すブロック図である。
【００３４】
本実施形態においては、小学校の生徒が末端利用者となり、その学級担任の教師が統括者となり、卒業アルバムその他を製作するこの小学校のアルバム業者が全体運営者となり、更に、該アルバム業者の業務を代行する業者が実務実施者となっている。又、小学校にはクライアント装置５が、全体運営者のアルバム業者には全体運営者サーバ装置１０が、代行業者の実務実施者には実務実施者サーバ装置１２が設けられている。なお、末端利用者の生徒は、クライアント装置５や、成果物閲覧装置６を用い、蓄積されているコンテンツのアルバムを閲覧したりする。
【００３５】
これらクライアント装置５、成果物閲覧装置６、全体運営者サーバ装置１０、実務実施者サーバ装置１２は、適宜ネットワーク３やゲートウェイ７を介して、いずれもネットワーク１に接続可能になっており、互いに接続可能になっている。該接続によって、デジタル情報化されたコンテンツや、コンテンツに紐付けられる情報が受渡し可能になっている。
【００３６】
なお、図３の右上に図示されるように、クライアント装置５や、成果物閲覧装置６には、オンラインでは全体運営者サーバ装置１０や実務実施者サーバ装置１２から独立している、独立型のものも存在する。これら独立型のものも、コンテンツやそのアルバムその他の情報など、ＣＤやＤＶＤやＭＯなどの記録媒体を介して、全体運営者サーバ装置１０や実務実施者サーバ装置１２と情報を受渡しできるようになっている。
【００３７】
図４は、本実施形態の各装置に用いるハードウェアの構成を示すブロック図である。
【００３８】
この図４においては、全体運営者サーバ装置１０や、実務実施者サーバ装置１２や、クライアント装置５の各装置として利用可能な、ある種のコンピュータ装置のハードウェア構成が示される。しかしながら、各装置は、このようなものに限定されるものではない。
【００３９】
図４の該コンピュータ装置は、ＯＳ（Operating  System）は一例として米国マイクロソフト社のＷｉｎｄｏｗｓ（登録商標）を搭載する、一般的なＰＣ（Personal  Computer）装置であってもよく、特に限定されものではない。あるいは、ＰＣ装置以外のハードウェアを用いてもよく、例えばＥＷＳ（Engineering  Work  Station）などの、いわゆるワークステーションなどのハードウェア、あるいはプログラムによりカスタマイズ可能なコピー機、複合機などのハードウェアを用いるようにしてもよい。なお、この図において、ハードウェア構成は、説明の関係上一部抽象化されている。
【００４０】
この図において、コンピュータ装置は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、ＭＯＤＥＭ（modulator-demodulator）３１４と、種々のＩ／Ｆ３２０〜３２２とを有している。これらは、バス３０１によって相互接続されている。
【００４１】
又、バス３０１に対して、Ｉ／Ｆ３２０を介して、画面表示装置３３０が接続されている。又、バス３０３によって相互接続されている、キーボード３３１と、マウス３３２と、プリンタ装置３３３と、スキャナ装置３３４と、撮影後に適宜接続されるデジタル・カメラ３３５と、いわゆるバーコードやこれに類するＱＲコードなどを読取るためのバーコード・リーダ３３６と、タッチパネル入力装置３３７とは、バス３０１に対して、Ｉ／Ｆ３２１を介して接続されている。
【００４２】
なお、バーコードやＱＲコードなどは、スキャナ装置３３４によって読込むようにしてもよい。例えば、スキャナ装置３３４により、作品などのコンテンツと共に、読込むようにしてもよい。又、タッチパネル入力装置３３７は、画面表示装置３３０の表示画面上における人手の指先接触、又該接触の該画面上における２次元位置を検知するものである。
【００４３】
更に、バス３０１に対して、Ｉ／Ｆ３２２を介して、ＨＤＤ（Hard  Disc  Drive）装置３４０と、ＣＤ（Compact  Disc）ドライブ装置３４１と、ＦＤＤ（Floppy（登録商標）  Disc  Drive）装置３４２とが接続されている。これらはバス３０２によって相互接続されている。
【００４４】
以上のようなハードウェア構成において、記憶手段、又記憶装置は、ＲＡＭ３１１、ＲＯＭ３１２、ＨＤＤ装置３４０、ＣＤドライブ装置３４１、ＦＤＤ装置３４２などである。このような記憶手段や記憶装置において、ＣＰＵ３１０で実行される様々なプログラムや、本実施形態においてアクセスされるデータベースや諸ファイルやデータが保存され、電子的にアクセスができるようになっている。例えば、ＯＳや、データベースやＪＡＶＡ（登録商標）やＪＳＰなどのソフトウェア資源を利用する環境を提供するためのプログラム、本実施形態に係るアプリケーション・プログラム、又ウェブ・ブラウザ・プログラムは、ＨＤＤ装置３４０に格納されていて、実行時には、ＲＡＭ３１１に読み出されてＣＰＵ３１０によって実行される。なお、ＬＡＮ−Ｉ／Ｆ３１３は、ＬＡＮ３に対する接続などに用いられるものであり、ＣＰＵ３１０で実行されるアプリケーション・プログラムには、クライアント装置５において、ネットワーク１経由で取得される、ＪＡＶＡ（登録商標)のアプレットも含まれる。
【００４５】
又、ＯＳやアプリケーション・プログラムその他の実行に際して、オペレータは、画面表示装置３３０に表示出力される情報を参照しつつ、キーボード３３１によって文字入力や諸操作を行ったり、マウス３３２によって座標入力や諸操作の入力を行ったり、タッチパネル入力装置３３７によって諸操作を行ったりする。又、適宜、プリンタ装置３３３からは必要な情報を印字出力したり、スキャナ装置３３４によって平面形状のコンテンツを２次元画像として読込んだり、デジタル・カメラ３３５によって立体形状のコンテンツを撮影して得られた２次元画像を、該デジタル・カメラ３３５から読込んだりすることができる。言うまでもなく、これら諸出力や入力は、ＣＰＵ３１０で実行されるプログラムによって、電子的な処理によって行われるものである。
【００４６】
なお、ＣＤドライブ装置３４１やＦＤＤ装置３４２は、本願発明を適用して実施する際の、アプリケーション・プログラムのインストールや、その他のオフラインでの情報交換に用いられる。
【００４７】
図５は、本実施形態のクライアント装置５や成果物閲覧装置６や全体運営者サーバ装置１０の構成を示すブロック図である。
【００４８】
図示されるように、全体運営者サーバ装置１０は、コンテンツ管理処理部２０と、クライアント通信処理部２２と、識別番号処理部２４と、クライアント管理処理部２６と、クライアント情報記憶部２８とを有している。クライアント装置５は、コンテンツ入力処理部３０と、サーバ通信処理部３２と、クライアント共通情報管理部３４と、識別番号処理部３６とを有している。成果物閲覧装置６は、コンテンツ一覧画面処理部４２と、コンテンツ詳細画面処理部４４とを有している。
【００４９】
次に、図６は、全体運営者サーバ装置１０内部の各装置の構成を示すブロック図である。
【００５０】
コンテンツ管理処理部２０は、コンテンツ収集状況確認部１１２と、コンテンツ編集部１１４と、成果物データ生成部１１８と、成果物メディア作成部１２０と、成果物パターン管理部１２２と、を有している。クライアント情報記憶部２８は、クライアント共通情報蓄積部１４３と、コンテンツ蓄積部１４４と、成果物蓄積部１４５と、利用者管理部１２４と、を有している。クライアント通信処理部２２は、クライアント接続部１３２と、コンテンツ解凍部１３４と、コンテンツ復号化部１３６と、コンテンツ受信部１３８とを有している。識別番号処理部２４は、コンテンツ検索部１４６と、複数年度コンテンツ紐付け部１５０と、を有している。
【００５１】
コンテンツ管理処理部２０は、各クライアント装置から送られてきたコンテンツを集中管理するための処理を行う。
【００５２】
コンテンツ収集状況確認部１１２は、定期的に各クライアント装置から送られてくるコンテンツの収集状況を管理する部分である。又、該コンテンツ収集状況確認部１１２は、前日の収集状況、学校、学級、生徒毎の収集状況一覧等を参照できる機能を備える。
【００５３】
コンテンツ編集部１１４は、各クライアント装置から送られてきたコンテンツを参照、編集する機能を提供する処理を行う。該登録コンテンツ編集部１１４は、色彩、明度、傾き等の補正機能を備え、又、読込み失敗と思われるコンテンツ候補を検出する機能も備える。
【００５４】
成果物データ生成部１１８は、最終的な成果物としての画面、コンテンツ一式を生成する部分である。該成果物データ生成部１１８は、全コンテンツが揃ってからはもちろん、途中の段階でもそれなりに最終形態を参照できる機能を備える。成果物データの形式は、成果物パターン管理部１２２で管理される複数パターンの中から選択できる。又、配置されたコンテンツとコンテンツ検索部１４６を使って、紐付けた情報の様々な切り口でコンテンツをまとめることが可能となる。
【００５５】
ａ）生徒単位に成果物を作成する場合は、上記で配置されたコンテンツ内の各生徒の部分と、その生徒から学校階層まで上方に階層を辿った時に含まれるコンテンツをまとめればよい。
【００５６】
ｂ）学級単位で成果物を作成する場合は、学級階層以下のコンテンツを全てまとめればよい。
【００５７】
ｃ）特定階層の特定イベント（５年生の遠足等）で成果物を作成する場合は、コンテンツ検索部１４６を使い、５年生の階層内で「遠足」イベントに紐付くコンテンツを検索してまとめればよい。
【００５８】
成果物メディア作成部１２０は、上記で生成した成果物データを、ＣＤ、ＤＶＤ等のメディアに焼き付ける部分である。又、付属として、ラベル、ジャケット等の印刷機能も備える。
【００５９】
成果物パターン管理部１２２は、成果物として生成するデータのパターンを複数管理する。又、パターンの追加、削除機能を備える。
【００６０】
クライアント情報記憶部２８は、契約した利用者との情報を管理する部分である。
【００６１】
クライアント共通情報蓄積部１４３は、本願発明に係る紐付け情報を中心として、様々な情報を保存する。コンテンツ蓄積部１４４は、クライアント装置から送られてきたコンテンツを、識別番号を元に適切な場所に配置、保管する機能を備える。具体的には図１４で示されるような階層で配置されることになる。識別番号には、学校、学年、学級、生徒情報が含まれているため、コンテンツをそれぞれの階層で配置することが可能になる。又、各階層での共通コンテンツもここで適切な階層に配置される。成果物蓄積部１４５は、本願発明を適用して作成された成果物の情報を蓄積する。
【００６２】
利用者管理部１２４は、契約した学校、写真屋等との情報を登録し、そのコンテンツ格納エリアを確保する部分である。該利用者管理部１２４には、接続を許可するための認証情報設定機能も含まれる。
【００６３】
クライアント通信処理部２２は、クライアント装置からコンテンツを受信するための部分である。
【００６４】
クライアント接続部１３２は、登録されている複数のクライアントからの接続を受け付ける。ある一定数のクライアントまで同時接続を認め、それ以上は再接続要求を返す。認証機能を備える。
【００６５】
コンテンツ解凍部１３４は、クライアントで圧縮されたデータを解凍して本来のデータに戻す部分である。コンテンツ復号化部１３６は、クライアントで暗号化されたデータを復号化する部分である。ＨＴＴＰＳ（HyperText  Transfer  Protocol  over  transport  layer  Security/secure  sockets  layer）を使用する場合は、ウェブ・サーバの機能で実施することができる。
【００６６】
識別番号処理部２４は、コンテンツと識別番号の対応を管理する部分であり、コンテンツ管理処理部２０、クライアント情報記憶部２８内の各処理部から呼び出されて使用される。
【００６７】
コンテンツ検索部１４６は、識別番号によって紐付けられた情報により、登録された全コンテンツから特定の条件に一致するコンテンツを検索して一覧表示、一覧順序制御するための処理を行う。
【００６８】
複数年度コンテンツ紐付け部１５０は、識別番号と氏名の対応付けがされていた場合、年度とその氏名から複数年の識別番号を自動的に対応付ける。あるいは識別番号と氏名の対応がされていなくても明示的に複数年の識別番号を対応付けすることにより、各生徒のコンテンツを複数年度に渡って紐付けする。これにより、年度単位にまとめることが基本だった生徒のコンテンツを、小学校6年間等の長い期間でまとめることも可能となる。
【００６９】
続いて、図７は、クライアント装置５内部の各装置の構成を示すブロック図である。
【００７０】
コンテンツ入力処理部３０は、識別番号認識部１６２と、コンテンツ読込み部１６４と、コンテンツ一時蓄積部１６６と、サーバ通信処理部３２は、サーバ接続部１７２と、コンテンツ圧縮部１７４と、コンテンツ暗号化部１７６と、コンテンツ送信部１７８と、を有している。クライアント共通情報管理理部３４は、共通コンテンツ管理部１８４と、イベント管理部１８６と、生徒管理部１８８と、接続サーバ管理部１９０と、を有している。識別番号処理部３６は、識別番号（Ａ）発番部１９２と、識別番号（Ｂ）発番部１９４と、識別番号（Ａ）（Ｂ）印刷部１９８と、識別番号（Ａ）（Ｂ）読取部２０２と、識別番号（Ａ'）（Ｂ）印刷部２０４と、識別番号（Ａ'）（Ｂ）読取部２０６と、識別番号・コンテンツ紐付け部１４２と、を有している。
【００７１】
コンテンツ入力処理部３０は、生徒が各作品を入力するための画面（メニュー）を表示、制御する部分で、コンテンツの新規読込み、読込み済みコンテンツの一覧表示、コンテンツ差し替えの機能を有する。識別番号認識部１６２は、バーコード等から、その作品に紐付けするための識別番号を読み取る部分である。コンテンツ読込み部１６４は、スキャナ等から実際の作品を電子データとして読込む部分である。読込んだ画像はプレビュー表示され、確認された後に識別番号と紐付けされる。コンテンツ一時蓄積部１６６は、サーバ通信が行われるタイミングまで、電子化された各コンテンツを一時的にクライアント装置５内部に蓄積する部分である。又、該コンテンツ一時蓄積部１６６は、コンテンツをサーバ送信後も縮小画像だけは保存しておき、コンテンツ差し替え時に指定できるようにする。
【００７２】
サーバ通信処理部３２は、定期的にサーバに接続し、クライアント装置５に一時蓄積されているコンテンツをサーバに送信する部分である。
【００７３】
サーバ接続部１７２は、あらかじめ指定された複数のサーバから空いているサーバに接続する。又、該サーバ接続部１７２は、どのサーバも空いていなければ定期的にリトライする。なお、当然サーバ接続するための認証機能を備える。
【００７４】
コンテンツ圧縮部１７４は、圧縮が有効な形式のコンテンツの場合、送信前にあらかじめ圧縮する処理を行う。コンテンツ暗号化部１７６は、第３者にコンテンツが盗聴されないようデータを暗号化する機能を有する。ウェブ標準のＨＴＴＰＳプロトコルを想定している。
【００７５】
コンテンツ送信部１７８は、上記で準備されたコンテンツをサーバに送信する。送信結果のエラー判定機能を備える。正常送信できたコンテンツはクライアント上のコンテンツ一時蓄積部１６６から削除する。ただし、読込み済みの一覧表示、コンテンツ差し替えで使用するため、サイズを小さくした縮小画像を生成して保存することで、記憶容量が削減される。
【００７６】
クライアント共通情報管理部３４は、統括者がそのクライアントで共通となる情報やコンテンツを管理するための画面を表示するための処理を行う。具体的には、共通コンテンツの編集、イベントの編集機能、接続サーバの設定情報管理機能、生徒氏名と識別番号の管理機能等を備える。
【００７７】
共通コンテンツ管理部１８４は、学校、学年、学級あるいは各イベントに紐付く共通コンテンツの新規登録、変更、削除を行う部分である。ここでイベントと共通コンテンツとの紐付けを行うことが可能となる。イベント管理部１８６は、学校のイベント群がテンプレートとして複数パターン用意され、その中から選択できる機能を提供する。該イベント管理部１８６は、更に、選択したイベント群に独自のイベントを追加する処理も行う。
【００７８】
生徒管理部１８８は、学校内の学年、学級、生徒名称の紐付けを管理する部分である。なお生徒名称は、識別番号（Ａ）に対して紐付けられるが、この紐付けは必須ではなく、紐付けしなくてもシステム的には最後まで動作させることが可能である。
【００７９】
接続サーバ管理部１９０は、そのクライアントが接続する先のサーバ情報、認証情報を管理する機能を有する。なお接続先サーバは複数台登録することができる。
【００８０】
識別番号処理部３６は、各コンテンツに対応させる識別番号を発行、印刷する部分であり、コンテンツ入力処理部３０、クライアント共通情報管理部３４内の各処理部から呼び出されて使用される。
【００８１】
識別番号・コンテンツ紐付け部１４２は、読込まれたコンテンツと識別番号を対応付ける処理を行う。
【００８２】
識別番号（Ａ）発番部１９２は、生徒1人に対して１つ識別番号（Ａ）を発番する処理を行う。識別番号（Ａ）は、図９のＢ０４からＢ０８までの部分に相当する。年度の初めに１回、各学校の学年数、学級数、生徒数の実態に合わせて行う。なお本当の実態数に正確にあわせなくても、デフォルトで多めに発番しておいてもよい。
【００８３】
識別番号（Ｂ）発番部１９４は、１イベントにつき１つ識別番号（Ｂ）を発番する処理を行う。イベントの編集画面で備える機能を提供する処理を行う。識別番号（Ｂ）は、図９のＢ０９からＢ１０の部分に相当する。学校毎に適切なイベントパターンを選択した時点でそのパターン内の各イベントに対しては識別番号（Ｂ）が対応付けられる。イベントを追加すると識別番号（Ｂ）が新たに発番される。識別番号（Ｂ）だけではユニークにならないが、識別番号（Ａ）と組み合わせることで、その学校、学年、学級独自のイベントとして特定される。なお、１イベントに対して複数の作品を登録する必要がある場合、識別番号としては図９のＢ０４からＢ０９までが共通で、Ｂ１０の部分だけをカウントアップさせた識別番号を使用することになる。
【００８４】
識別番号（Ａ）（Ｂ）印刷部１９８は、イベントの編集画面で備える機能を提供する処理を行う。該識別番号（Ａ）（Ｂ）印刷部１９８は、そのイベントに関連させて各生徒が登録していく作品との紐付けを行うための識別番号を、バーコード等に印刷する。ここで印刷されるバーコードには、識別番号（Ａ）と識別番号（Ｂ）の情報が入っているため、作品と生徒との、又、作品とイベントとの、どちらの情報も紐付け可能となる。
【００８５】
識別番号（Ａ）（Ｂ）読取部２０２は、各生徒の作品の裏等に貼り付けられたバーコードを読取る処理を行う。システム的には、認識したバーコードとその後に読込んだ作品とを紐付けて、コンテンツ一時蓄積部１６６にデータが蓄積される。
【００８６】
識別番号（Ａ'）（Ｂ）印刷部２０４は、共通コンテンツを読込ませるときに使用する識別番号を印刷する機能を提供するための処理を行う。識別番号（Ａ）（Ｂ）印刷部１９８と同じだが、識別番号（Ａ）の中の生徒を特定する部分がワイルドカードになっており、場合によっては学級、学年の部分もワイルドカードになっている。
【００８７】
識別番号（Ａ'）（Ｂ）読取部２０６は、共通コンテンツの裏等に貼り付けられたバーコードを読取る処理を行う。システム的には、認識したバーコードと、その後に読込んだ共通コンテンツとを紐付けて、データを蓄積する。生徒部分、場合によっては学級、学年部分もワイルドカードになっているため、どの階層の共通コンテンツか認識できる。
【００８８】
次に、図８は、成果物閲覧装置６内部の各装置の構成を示すブロック図である。
【００８９】
コンテンツ一覧画面処理部４２は、全コンテンツ一覧表示部２２２と、イベント別コンテンツ一覧表示部２２４と、ジャンル別コンテンツ一覧表示部２２６と、紐付け単位別一覧表示部２２８と、を有している。コンテンツ詳細画面処理部４４は、画像表示部２３２と、関連情報表示部２３４と、関連コンテンツ表示部２３６と、を有している。
【００９０】
コンテンツ一覧画面処理部４２は、各生徒が登録したコンテンツ一覧を、いくつかの条件で一覧表示する処理を行う部分である。全コンテンツ一覧表示部２２２は、各生徒が登録したコンテンツと、その生徒が在籍する学級、学年、学校で共通に登録された全コンテンツを同一レベルで一覧表示する画面を表示する処理を行う。該画面は、名称順、登録日時順等のソート機能を備える。
【００９１】
イベント別コンテンツ一覧表示部２２４は、時系列のイベントを軸として、そのイベントに関して各生徒が登録したコンテンツと、その学級、学年、学校で共通に登録されたコンテンツを関連させながら表示する画面を表示する処理を行う。ジャンル別コンテンツ一覧表示部２２６は、絵画、習字、作文等の作品のジャンル毎に一覧表示する画面を表示する処理を行う。紐付け単位別一覧表示部２２８は、各生徒、学級、学年、学校等の紐付いた単位別にそのコンテンツを一覧表示する画面を表示する処理を行う。
【００９２】
コンテンツ詳細画面処理部４４は、一覧から選択されたコンテンツについて、その詳細を表示する処理を行う部分である。画像表示部２３２は、一覧から選択されたコンテンツを拡大表示する画面を表示する処理を行う。関連情報表示部２３４は、表示されているコンテンツに関する付加情報（作者、題名、日時、場所、ジャンル等）を表示する処理を行う。関連コンテンツ表示部２３６は、表示されているコンテンツ自体に関連するコンテンツ（作文が複数ページあったら２ページ目等）と、コンテンツが関連するイベントに関連する共通コンテンツ（写生大会の作品だったら、先生が登録したその写生大会会場の風景写真、地図等）を表示する処理を行う。
【００９３】
図９は、本実施形態における識別番号のデータ構成図である。
【００９４】
本実施形態における識別番号は、すべてのコンテンツに異なるものが付されることになる。又、識別番号は、先頭から順にデータＢ０１〜Ｂ１０によって構成されている。
【００９５】
なお、Ｂ０１〜Ｂ１０の順序は特に限定されるものではなく、どのような順序にしてもかまわない。又、Ｂ０１〜Ｂ０３の保管期限とタイムカプセルに関する情報は、図９のように識別番号中に入れてもよいし、図１１のように紐付け情報の１つとして持ってもよい。
【００９６】
データＢ０１及びＢ０２は、当該コンテンツＩＤが付与されるコンテンツの保管期間に関するものである。データＢ０１は、“０”ならば短期保存であり、“１”ならばデータＢ０２で示される期日まで保存する長期保存である。保存期間コードのデータＢ０２は、先頭から順に、「年」が４桁、「月」が２桁、「日」桁で構成される、保存される最終日を示すデータである。
【００９７】
データＢ０３は、タイムカプセル機能のコンテンツ送付期日を示す、先頭から順に、「年」が４桁、「月」が２桁、「日」桁で構成される、保存される最終日を示すデータである。このタイムカプセル機能は、上記の送付期日に別途指定された送付先へ、そのコンテンツＩＤのコンテンツを、電子メールや郵送で送付するというものである。例えば、本実施形態において卒業後の１０年後に、同窓会の開催にあたって、該タイムカプセル機能によって予め特定のコンテンツを送付することができる。
【００９８】
次に、データＢ０４〜Ｂ０８は、そのコンテンツの提供元に関するものである。そのコンテンツが生徒によるものであれば、データＢ０４〜Ｂ０８によって、その生徒が特定される。あるいは、そのコンテンツが、学校共通、又はある年度の学校共通であれば、データＢ０４によって、又はデータＢ０４及びＢ０５によって提供元が示され、その他のデータはワイルドカードの値“０”になる。学校に係わらず年度共通のコンテンツであれば、データＢ０５によって提供元が示され、その他のデータはワイルドカードの値“０”になる。
【００９９】
更に、データＢ０９及びＢ１０は、そのコンテンツの分類を示す。まず、データＢ０９は、そのコンテンツが関連するイベントの分類になる。データＢ１０は、そのコンテンツが複数ページからなる場合のページ番号になる。
【０１００】
図１０、１１は、図９で示した識別番号の各構成要素と、それに紐付ける情報の対応関係を示したものである。紐付け情報は大きく分けると、生徒が生活した環境に関する情報、作品を描くきっかけとなったイベントに関する情報、各作品に対して作者が入力する情報、作品の作者に関する情報の４つに分かれる。各情報は、図１０で示したような識別番号中の各構成要素の組み合わせに対して一意に紐付けることができる。各作品を読込ませる都度、末端利用者あるいは利用統括者が入力しなければならない情報としては、題名、コメント、先生の評価、賞状・メダル等があるが、それ以外のかなりの部分は統括者あるいは全体運営者があらかじめ１度だけ入力しておけばよい情報、あるいはシステム的に自動で取得できる情報である。これにより末端利用者の作業負荷を最低限に減らすことが可能となる。
【０１０１】
また各作品に紐付ける情報として、長期・短期区分、保存期間、タイムカプセル期日がある。長期・短期区分は、コンテンツの保管期間に関するものである。例えばこの区分値が“０”ならば短期保存であり、“１”ならば、保存期間で示される期日まで保存する長期保存である。保存期間は、先頭から順に、「年」が４桁、「月」が２桁、「日」桁で構成される、保存される最終日を示すデータである。タイムカプセル期日は、タイムカプセル機能のコンテンツ送付期日を示す、先頭から順に、「年」が４桁、「月」が２桁、「日」桁で構成されるデータである。このタイムカプセル機能は、上記の送付期日に別途指定された送付先へ、指定コンテンツを、あるいはその生徒に関するコンテンツ一式を電子メールやＣＤ等のメディアや印刷物を郵送で送付するというものである。例えば、本実施形態において卒業後の１０年後に、同窓会の開催にあたって、該タイムカプセル機能によって、その学級の全生徒の作品を印刷して送付することができる。
【０１０２】
続いて、図１２は、本実施形態におけるバーコードシールの第１例を示す平面図である。図１３は、同バーコードシールの第２例を示す平面図である。
【０１０３】
第１例のバーコードシールでは、「バーコード印刷部分」で図示される部分に、識別番号を含んだバーコードが印刷され、又、「○○市立△△小学校４年３組２３番」、「お花見」のように、個人を特定する情報と、イベント情報が印刷される。この情報によって、生徒はどの作品にこのシールを貼り付けるべきか判断できる。図中において、「おなまえ」とされる矩形領域は、生徒が自分の氏名を書き込む部分である。ただしあらかじめ識別番号と氏名の対応付けが行われていれば、氏名が表示された状態で印刷することも可能である。
【０１０４】
第２例のバーコードシールでは、バーコードに代えてＱＲコードによって、「ＱＲ印刷部分」で図示される部分に識別番号が記録され、印刷されている。又、図示される「○○市立△△小学校４年３組２３番」や「おなまえ」は、上述の第１例と同様である。
【０１０５】
このようなバーコードシールは、自らの作品を本実施形態のコンテンツとして提供する際に、生徒が各コンテンツに貼り付ける。クライアント装置５や全体運営者サーバ装置１０や実務実施者サーバ装置１２において、このようなコンテンツをスキャナ装置３３４やデジタル・カメラ３３５などによって読込む際には、バーコードシールのバーコードやＱＲコードをスキャンして、識別番号を読み取る。あるいは、平面形状物のコンテンツであって、その表面に貼り付けられているバーコードシールであれば、そのコンテンツ読取り時に同時に読み取られるので、そのバーコードシールのバーコードやＱＲコードの部分を、クライアント装置５や全体運営者サーバ装置１０や実務実施者サーバ装置１２で自動的に認識して、識別番号を読み取るようにしてもよい。
【０１０６】
図１４は、本実施形態においてコンテンツ保管形態を示すツリー図である。
【０１０７】
上述のように各コンテンツには、異なる識別番号が付され、この図１４に示されるような階層構造で保管されている。ここで、この図に示される学校共通コンテンツ、学年共通コンテンツ、学級共通コンテンツは、それぞれ、学校、学年、学級に共通のコンテンツである。例えば、学校の校舎全景の写真は学校共通コンテンツに、学級の集合写真は学級共通コンテンツにすることができる。
【０１０８】
図１５〜図１７は、本実施形態における全体的な作用を示すフローチャートである。これら図１５〜図１７は、作図の便宜上分割されているものであり、本来は１つのフローチャートになっている。図中の実線で括られた処理は、図３や図４に示すようなハードウェアによってなされる処理であり、点線で括られた処理は人間が行う作業である。
【０１０９】
このフローチャートにおいては、学校の生徒が末端利用者とされている。学級の担任教師が統括者とされ、担任教師および生徒は学校に設置されるクライアント装置５を操作する。又、全体運営者のアルバム会社業者は、全体運営者サーバ装置１０によって、実務実施者であるサービス会社は、実務実施者サーバ装置１２によって、本来学校で行うべき作業を代行することができる。すなわち、学校側から生徒の作品を回収した後、コンテンツの読込み、コンテンツに紐付く情報の登録、共通コンテンツの登録、イベント登録等の作業を代行することができる。又、登録されたコンテンツの管理、登録コンテンツから成果物の作成等の後工程の作業も行うことができる。
【０１１０】
図１５において、まず、学校側からサービスの申込み（ステップ５１２）を、全体運営者のアルバム業者が受付け（ステップ５１４）、契約成立に至る（ステップ５１６及び５１８）。
【０１１１】
次に、該契約に従って、実務実施者である集中サービス会社は、全体運営者であるアルバム業者を経由して、クライアント装置５その他を学校に貸し出すことになる（ステップ５２０〜５２４）。この際には、ハードウェアの設置と共に、必要なアプリケーション・プログラムの導入、又導入先の学校用の情報の導入も、該ハードウェアに対して行われることになる（ステップ５２４）。
【０１１２】
又、該契約に従って、学校側は、コンテンツに紐付けする情報をアルバム業者に渡すと、該情報は、アルバム業者によってデジタル・データとして入力される（ステップ５２６）。該情報は、対象になる学校の生徒名簿や、年間の行事日程表などであり、手書きや印刷された紙ベースのものが中心である。アルバム業者は、このような情報を使い、共通コンテンツの登録、イベントの登録を行う。もちろん、該共通コンテンツの登録、イベントの登録等は、利用者である学校側で行ってもよい。
【０１１３】
この後は、生徒の写真や作品などのコンテンツを蓄積していくことになる（ステップ５４０〜５５０）。
【０１１４】
該蓄積に際して、個々のコンテンツに貼り付けるバーコードシールが印刷され（ステップ５３２）、教師や生徒に渡される（ステップ５３４や５３６）。なお、該印刷は、全体運営者サーバ装置１０や実務実施者サーバ装置１２で行ってもよく、あるいは、教師や生徒側のクライアント装置５で行ってもよい。このバーコードシールは、前述したように例えば図１２や図１３のようなものである。なお、バーコードシールは、文字通りのバーコードを利用するものに限定されるものではなく、電子的に識別番号を記録し、読み出すことが可能なものであればよい。例えば、いわゆるＩＣ（Integrated  Circuit）カードのように、ＩＣチップに電子的に識別番号を記録したものであってもよい。
【０１１５】
生徒は、図画、工作、書道などの作品を制作し（ステップ５４０）、出来上がったものには上述のバーコードシールを貼り付ける。このコンテンツは、クライアント装置５が内蔵する記憶装置に、立体形状物であればデジタル・カメラ３３５で撮影して読込み、平面形状物であればスキャナ装置３３４で読取ることになる（ステップ５４４）。この読込みや読取りの際には、バーコードシールの識別番号もクライアント装置５に、電子的に読込んだり、あるいは電子的に読込みが出来ない場合はキー入力したりし、該クライアント装置５内において該識別番号を該当のコンテンツに紐付けする。
【０１１６】
クライアント装置５に読込まれたコンテンツは、ネットワーク１を経由して、クライアント装置５から全体運営者サーバ装置１０や実務実施者サーバ装置１２に送られ、蓄積されることになる（ステップ５４６〜５５０）。この送信処理は、作品の読込みの都度行われるのではなく、1回／日等の間隔に設定された定期的なバッチ処理により処理される。
【０１１７】
又、蓄積されたコンテンツは、識別番号や、識別番号に紐付く情報に基づいて、閲覧したりアルバム化したりし易いように、編成したり編集したりすることになる（ステップ５５０）。ここで、生徒などの末端利用者や、統括者は、アルバム化などに際して、コンテンツの選択や成果物パターンの選択をクライアント装置５や成果物閲覧装置６によって行うことができる。
【０１１８】
このようにコンテンツが蓄積されていく際に、例えば学校の学期毎などの時期で、学校の学級毎や生徒毎にアルバムとして編成され（ステップ５６２）、ＣＤその他の記録媒体に書き込まれ（ステップ５６４）、該当の学級や生徒に配布される（ステップ５６６、５６８）。又、このようにＣＤその他の記録媒体に書き込まれるものには、上記の生徒などの利用者や統括者によるコンテンツ選択を、反映することも可能になっている。
【０１１９】
又、該配布に伴って、費用精算するようにしてもよい（ステップ５７０、５７２）。
【０１２０】
図１８は、本実施形態における操作や表示の画面の内容を示す線図である。
【０１２１】
この図では、実務実施者の集中サービス会社、が操作する表示画面や、表示画面で操作することができる操作内容が示されている。又、この図では、このような表示画面や操作内容は、一部階層構造（ツリー構造）で図示されている。
【０１２２】
次に、図１９〜図３２は、本実施形態に係る操作画面を示す表示画面図である。図１９〜図２０はサーバ装置で実務実施者が使用する画面、図２１〜図２６は成果物閲覧装置６で、末端利用者、統括者が使用するコンテンツ閲覧画面、図２７〜図２８はクライアント装置で、統括者が使用する画面、図２９〜図３２は、クライアント装置で、末端利用者がコンテンツ読込みの際に使用する画面である。
【０１２３】
図１９は、全体運営者サーバ装置１０や実務実施者サーバ装置１２に蓄積されているコンテンツを表示、編集するための表示画面を示す線図である。この図において、破線領域は、該当部分をマウス３３２によって選択押下した際に表示されるものである。
【０１２４】
図２０は収集されているコンテンツを一覧表示するための、図２１は収集されているコンテンツを生徒単位で一覧表示するための表示画面を示す線図である。
【０１２５】
図２１の表示画面において、左側上から５行目の「学校、学級情報」をマウス３３２で押下すると、図２２に示されるような学校や学級に関する表示画面を表示することができる。図２２の表示画面においては、下線が引かれた部分がリンクとなっており、該リンクをマウス３３２で押下することにより、更にその各情報の詳細情報を参照することができる。図２１の表示画面において、中央の下段の「立体画像」をマウス３３２で押下すると、図２３に示されるような粘土細工作品をデジタル・カメラ３３５で撮影して読取られた画像を表示する表示画面を表示することができる。図２１の表示画面において、右下の「連続再生」をマウス３３２で押下すると、表示されている全コンテンツを、連続的に順次拡大表示することができる。図２１の表示画面において、右側の中央の「水彩画」をマウス３３２で選択押下すると、図２４に示されるような水彩画作品をスキャナ装置３３４で読取った画像を表示する表示画面を表示することができる。更に、該図２４の表示画面において、下段の右側の「詳細情報」をマウス３３２で押下すると、図２５に示されるような、図２４で表示した作品に関する情報を表示する表示画面を表示することができる。
【０１２６】
又、本実施形態においては、図２６に示される表示画面のように、各生徒のイベント別作品を一覧表示することができる。
【０１２７】
図２７及び図２８は、前述のイベント登録、イベントの識別番号の発行、識別番号のバーコードシールの印刷、およびイベントに紐付く共通コンテンツを登録するための表示画面を示す線図である。図２７は該表示画面の上部、又図２８は該表示画面の下部を図示するものであり、これら図２７及び図２８は作図の便宜上分割して図示している。
【０１２８】
ここで、本実施形態においては、図２９〜図３２に示す一連の表示画面を用いて、コンテンツの読込みを、統括者側や全体運営者や実務実施者側にあるクライアント装置５において行う。
【０１２９】
図２９に示される表示画面において、「読込み」をマウス３３２によって押下すると、バーコードリーダ３３６あるいはスキャナ装置３３４がバーコードシールをスキャンし、該バーコードシールの識別番号を読込む。「作品一覧」を押下すると図３０に示す表示画面が、「作品登録」を押下すると図３１に示す表示画面が表示される。なお、この操作は、タッチパネル入力装置３３７によるものであってもよい。
【０１３０】
図３０に示される表示画面において、「さくら」、「運動会」、「水泳」などの該当のコンテンツの縮小画像をマウス３３２によって選択押下すると、該選択コンテンツの識別番号が認識されつつ、図３１に示す表示画面が表示される。ここで、図３１は、「さくら」を選択押下した例になっている。
【０１３１】
図３１に示される表示画面において、「スタート」をマウス３３２によって押下すると、スキャナ装置３３４などによってコンテンツが読込まれ、図３２に示す表示画面が該コンテンツを表示しつつ表示される。あるいは、「題名、コメント修正」を押下すると、図３２に示す表示画面が、スキャナ装置３３４などによって既に読込み済のコンテンツを表示しつつ表示される。そして、図３２に示される表示画面において、「ＯＫ」を押下すると図２９に示す表示画面が、「ＮＧ」を押下すると図３１に示す表示画面が表示される。
【０１３２】
以上のように本実施形態によれば、本願発明を効果的に適用することができる。
【０１３３】
なお、以上に説明した実施形態は、末端利用者を、学校の生徒とし、統括者を、担任教師などの教職員とし、全体運営者は卒業アルバムなどを製作するアルバム業者としている。しかしながら、本願発明は、このようなものに限定されるものでない。例えば、末端利用者を、学校の生徒に限らない、例えば街にあるＤＰＥ店の顧客とし、統括者を街にあるＤＰＥ店とし、全体運営者はＤＰＥ店からの依頼を受けるラボ会社としてもよい。
【０１３４】
一方、利用者から依頼されたコンテンツをサーバ装置に蓄積するだけでなく、蓄積されたそのコンテンツを積極的に公開することが考えられる。
【０１３５】
第１例としては、蓄積されたコンテンツを展示したい団体、企業等（市町村、各種イベント・コンクール主催団体、老人ホーム、病院、商業施設での父・母・敬老の日等）が、その条件（ジャンル、カテゴリ、地域等）をあらかじめ登録しておき、条件が一致したコンテンツが登録された場合、利用者の許可を得て、そのコンテンツを該団体、企業に公開する。公開する方法は、ＷＥＢ上、ＣＤ等のメディア、印刷した紙等のいくつかの形態が考えられる。
【０１３６】
第２例としては、各学校(学級、生徒個人)間の交流のきっかけとすることが考えられる。日本全国、あるいは世界全国の各学校の生徒の作品が蓄積されれば、識別番号に紐付く各種情報を使って、その学校間、学級間、生徒間をある一定のルールあるいはランダムに結びつけ、お互いの作品を公開し合うことにより、新たな交流のきっかけとなる。公開する方法は、ＷＥＢ上、ＣＤ等のメディア、印刷した紙等のいくつかの形態が考えられる。またＷＥＢ等技術を使用すれば、相手の作品に対して、オンラインで感想を伝え合う手段を提供することも可能である。
【０１３７】
以上のように、蓄積されたコンテンツとその紐付け情報を使ってコンテンツを積極的に公開すれば、さらに付加価値の高いサービスを提供することが可能である。
【産業上の利用可能性】
【０１３８】
以上説明したとおり、本発明によれば、利用者の手間を省きながら、利用者が保管を依頼するコンテンツに基づいて、付加価値が高いサービスを提供することができる利用者コンテンツ保管システムを提供することができる。
【図面の簡単な説明】
【０１３９】
【図１】本願発明の概念を説明するための構成図
【図２】本願発明の実施の関係者の相互関係を示す線図
【図３】本発明が適用された実施形態の全体的なハードウェア構成を示すブロック図
【図４】上記実施形態の各装置に用いるハードウェアの構成を示すブロック図
【図５】前記実施形態のクライアント装置５や成果物閲覧装置６や全体運営者サーバ装置１０の構成を示すブロック図
【図６】前記実施形態における全体運営者サーバ装置１０内部の各装置の構成を示すブロック図
【図７】前記実施形態のクライアント装置５内部の各装置の構成を示すブロック図
【図８】前記実施形態の成果物閲覧装置６内部の各装置の構成を示すブロック図
【図９】前記実施形態における識別番号のデータ構成図
【図１０】前記実施形態における識別番号と紐付ける情報の対応関係を示す第１の線図
【図１１】前記実施形態における識別番号と紐付ける情報の対応関係を示す第２の線図
【図１２】前記実施形態におけるバーコードシールの第１例を示す平面図
【図１３】同バーコードシールの第２例を示す平面図
【図１４】前記実施形態においてコンテンツ保管形態を示すツリー図
【図１５】前記実施形態における全体的な作用を示す第１のフローチャート
【図１６】上記フローチャートに続く第２のフローチャート
【図１７】上記フローチャートに続く第３のフローチャート
【図１８】前記実施形態におけるサーバ装置内の操作や表示の画面の内容を示す線図
【図１９】前記実施形態のサーバ装置で蓄積されているコンテンツを表示、編集するための表示画面を示す表示画面図
【図２０】前記実施形態におけるサーバ装置内で、コンテンツの蓄積状況情報を一覧表示するための画面を示す表示画面図
【図２１】前記実施形態における成果物閲覧装置でコンテンツを生徒単位で一覧表示するための画面を示す表示画面図
【図２２】前記実施形態における成果物閲覧装置でその生徒が生活した環境の情報を表示する画面を示す表示画面図
【図２３】前記実施形態における成果物閲覧装置で、粘土細工作品をデジタル・カメラで撮影して読取られた画像を表示する画面を示す表示画面図
【図２４】前記実施形態における成果物閲覧装置で、水彩画作品をスキャナ装置で読取った画像を表示する画面を示す表示画面図
【図２５】前記実施形態における成果物閲覧装置で、表示したコンテンツに関する詳細情報を表示する画面を示す表示画面図
【図２６】前記実施形態における成果物閲覧装置で、各生徒のイベント別コンテンツを一覧表示する画面を示す表示画面図
【図２７】前記実施形態におけるクライアント装置で、共通コンテンツおよびイベントを登録するための画面を示す第１の表示画面図
【図２８】上記表示画面図に続く第２の表示画面図
【図２９】前記実施形態におけるクライアント装置でコンテンツ読込みを行う際の初期画面を示す表示画面図
【図３０】前記実施形態におけるクライアント装置でコンテンツの差し替えを行うための指示画面を示す表示画面図
【図３１】前記実施形態におけるクライアント装置でバーコード読込みを行った後の画面を示す表示画面図
【図３２】前記実施形態におけるクライアント装置でコンテンツ読込みを行った後の確認画面を示す表示画面図
【符号の説明】
【０１４０】
１…ネットワーク
３…ＬＡＮ
５…クライアント装置
６…成果物閲覧装置
７…ゲートウェイ
１０…全体運営者サーバ装置
１２…実務実施者サーバ装置
２０…コンテンツ管理処理部
２２…クライアント通信処理部
２４…識別番号処理部
２８…クライアント情報記憶部
３０…コンテンツ入力処理部
３２…サーバ通信処理部
３４…クライアント共通情報管理部
３６…識別番号処理部
４２…コンテンツ一覧画面処理部
４４…コンテンツ詳細画面処理部
１１２…コンテンツ収集状況確認部
１１４…コンテンツ編集部
１１８…成果物データ生成部
１２０…成果物メディア作成部
１２２…成果物パターン管理部
１２４…利用者管理部
１３２…クライアント接続部
１３４…コンテンツ解凍部
１３６…コンテンツ復号化部
１３８…コンテンツ受信部
１４２…識別番号・コンテンツ紐付け部
１４３…クライアント共通情報蓄積部
１４４…コンテンツ蓄積部
１４５…成果物蓄積部
１４６…コンテンツ検索部
１５０…複数年度コンテンツ紐付け部
１６２…識別番号認識部
１６４…コンテンツ読込み部
１６６…コンテンツ一時蓄積部
１７２…サーバ接続部
１７４…コンテンツ圧縮部
１７６…コンテンツ暗号化部
１７８…コンテンツ送信部
１８４…共通コンテンツ管理部
１８６…イベント管理部
１８８…生徒管理部
１９０…接続サーバ管理部
１９２…識別番号（Ａ）発番部
１９４…識別番号（Ｂ）発番部
１９８…識別番号（Ａ）（Ｂ）印刷部
２０２…識別番号（Ａ）（Ｂ)読取部
２０４…識別番号（Ａ'）（Ｂ）印刷部
２０６…識別番号（Ａ'）（Ｂ）読取部
２２２…全コンテンツ一覧表示部
２２４…イベント別コンテンツ一覧表示部
２２６…ジャンル別コンテンツ一覧表示部
２２８…紐付け単位別一覧表示部
２３２…画像表示部
２３４…関連情報表示部
２３６…関連コンテンツ表示部
３０１〜３０３…バス
３１０…ＣＰＵ
３１１…ＲＡＭ
３１２…ＲＯＭ
３１３…ＬＡＮ−Ｉ／Ｆ
３１４…ＭＯＤＥＭ
３２０〜３２２…Ｉ／Ｆ
３３０…画面表示装置
３３１…キーボード
３３２…マウス
３３３…プリンタ装置
３３４…スキャナ装置
３３５…デジタル・カメラ
３３６…バーコードリーダ
３３７…タッチパネル入力装置
３４０…ＨＤＤ装置
３４１…ＣＤドライブ装置
３４２…ＦＤＤ装置
【図１】
2006195840.tif 000003
【図２】
2006195840.tif 000004
【図３】
2006195840.tif 000005
【図４】
2006195840.tif 000006
【図５】
2006195840.tif 000007
【図６】
2006195840.tif 000008
【図７】
2006195840.tif 000009
【図８】
2006195840.tif 000010
【図９】
2006195840.tif 000011
【図１０】
2006195840.tif 000012
【図１１】
2006195840.tif 000013
【図１２】
2006195840.tif 000014
【図１３】
2006195840.tif 000015
【図１４】
2006195840.tif 000016
【図１５】
2006195840.tif 000017
【図１６】
2006195840.tif 000018
【図１７】
2006195840.tif 000019
【図１８】
2006195840.tif 000020
【図１９】
2006195840.tif 000021
【図２０】
2006195840.tif 000022
【図２１】
2006195840.tif 000023
【図２２】
2006195840.tif 000024
【図２３】
2006195840.tif 000025
【図２４】
2006195840.tif 000026
【図２５】
2006195840.tif 000027
【図２６】
2006195840.tif 000028
【図２７】
2006195840.tif 000029
【図２８】
2006195840.tif 000030
【図２９】
2006195840.tif 000031
【図３０】
2006195840.tif 000032
【図３１】
2006195840.tif 000033
【図３２】
2006195840.tif 000034